【手続補正書】
【提出日】平成18年11月8日(2006.11.8)
【手続補正２】
【補正対象書類名】特許請求の範囲
【補正対象項目名】全文
【補正方法】変更
【補正の内容】
【特許請求の範囲】
【請求項１】
２つの扁平な矩形板状の電池セルを収容するケースと、
前記ケースから露出するコネクタと、
前記２つの電池セルを前記ケース内で保持する保持体とを備え、
前記保持体は、非導電性で弾性を有する材料からなり２つの扁平な矩形板状の電池セルを平面視長方形に並べた状態で収容する第１電池収容部と第２電池収容部とを有し、
前記保持体上を延在し前記第１電池収容部と第２電池収容部にそれぞれ収容される２つの電池セルと前記コネクタとを電気的に接続する導電性で弾性を有する導電板が設けられている、
ことを特徴とするバッテリー。
【請求項２】
前記導電板は、前記第１電池収容部と第２電池収容部にそれぞれ収容される２つの電池セルのうちの一方の電池セルの正極端子と他方の電池セルの負極端子とを接続するとともに、他方の電池セルの正極端子と前記コネクタとを接続する正極端子接続用薄板と、前記一方の電池セルの負極端子と前記コネクタとを接続する負極端子接続用薄板とで構成されていることを特徴とする請求項１記載のバッテリー。
【請求項３】
前記正極端子接続用薄板は前記正極端子と前記負極端子と前記コネクタとに溶接により接合されると共に、前記負極端子接続用薄板は前記負極端子と前記コネクタとに溶接により接合されていることを特徴とする請求項２記載のバッテリー。
【請求項４】
前記電池セルは導電性金属材料からなり、厚さ方向の両端に位置する矩形状の上面および下面と、前記上面と下面とを接続する４つの側面とを有する扁平な矩形板状の外装缶を有し、前記保持体は、前記平面視長方形の短辺に対応し前記第１電池収容部に収容される電池セルの外装缶の側面に当て付けられる第１側片と、前記平面視長方形の２つの長辺に対応し前記第１電池収容部と第２電池収容部にそれぞれ収容される電池セルの外装缶の側面に当て付けられる第２、第３側片と、前記第１電池収容部と第２電池収容部にそれぞれ収容される電池セルの外装缶の向かい合う側面間に配置される第４側片と、前記４つの側片の縁から突出し前記第１電池収容部と第２電池収容部にそれぞれ収容される前記電池セルの外装缶の上面または下面の一方の面の縁寄りの箇所に当て付けられる縁片とを有していることを特徴とする請求項１記載のバッテリー。
【請求項５】
前記第１電池収容部と第２電池収容部にそれぞれ収容される２つの電子セルのうちの一方の電子セルは、前記第２側片に前記正極端子が臨み、かつ、前記２つの電子セルのうちの他方の電子セルは、前記第３側片に前記正極端子が臨むように並べられ、前記第２、第３側片には前記正極端子が挿入される開口が形成されていることを特徴とする請求項４記載のバッテリー。
【請求項６】
前記第１側片には、該第１側片に沿って延在し前記コネクタが取着されたプリント基板が取着され、前記正極端子接続用薄板の端部と前記負極端子接続用薄板の端部は、前記コネクタに導通する導通部に接合されていることを特徴とする請求項４記載のバッテリー。
【請求項７】
前記正極端子接続用薄板は、前記保持体上を通り前記第２電池収容部に収容される電池セルの正極端子と前記第１電池収容部に収容される電池セルの負極端子とを接続するとともに、前記第１電池収容部に収容される電池セルの正極端子と前記コネクタとを接続するように配置されていることを特徴とする請求項２記載のバッテリー。
【請求項８】
前記正極端子接続用薄板は、前記保持体上を通り前記第２電池収容部に収容される電池セルの正極端子と前記第１電池収容部に収容される電池セルの負極端子とを接続する薄板と、前記第１電池収容部に収容される電池セルの正極端子と前記コネクタとを接続する薄板により構成されていることを特徴とする請求項７記載のバッテリー。
【請求項９】
前記保持体には、前記導電板の一部が係合され位置決めされる係合凹部が形成され、前記導電板は、その一部が前記係合凹部に係合されて前記保持体上に配置されていることを特徴とする請求項１記載のバッテリー。
【請求項１０】
前記正極端子接続用薄板と前記負極端子接続用薄板は、前記第２側片または第３側片の一部の上を通って配置され、前記第２側片と第３側片には前記正極端子接続用薄板または負極端子接続用薄板の一部が係合され位置決めされる係合凹部が形成され、前記正極端子接続用薄板および負極端子接続用薄板はそれぞれそれらの一部が前記係合凹部に係合されて前記第２側片または第３側片上に配置されていることを特徴とする請求項４記載のバッテリー。
【請求項１１】
前記正極端子接続用薄板と前記負極端子接続用薄板は、前記第２側片または第３側片の一部の上を延在して配置され、前記第２側片と第３側片には前記正極端子接続用薄板または負極端子接続用薄板の一部が係合され位置決めされる係合凹部が形成され、前記正極端子接続用薄板および負極端子接続用薄板はそれぞれそれらの一部が前記係合凹部に係合されて前記第２側片または第３側片上に配置され、前記正極端子接続用薄板および負極端子接続用薄板はそれらの一部が前記係合凹部に係合することで、前記側片が当て付けられた前記外装缶の側面に対して直交する方向の位置決めがなさることを特徴とする請求項４記載のバッテリー。
【請求項１２】
前記正極端子接続用薄板と前記負極端子接続用薄板は、前記第２側片または第３側片の一部の上を延在して配置され、前記第２側片と第３側片には前記正極端子接続用薄板または負極端子接続用薄板の一部が係合され位置決めされる係合凹部が形成され、前記正極端子接続用薄板および負極端子接続用薄板はそれぞれそれらの一部が前記係合凹部に係合されて前記第２側片または第３側片上に配置され、前記正極端子接続用薄板および負極端子接続用薄板はそれぞれそれらの一部が前記係合凹部に係合された状態で、前記係合凹部に係合された前記正極端子接続用薄板または負極端子接続用薄板の表面は、前記係合凹部が形成された箇所以外の前記第２側片または第３側片の表面と同一面上に位置するか、あるいは、前記第２側片または第３側片の表面よりも低い箇所に位置するように形成されていることを特徴とする請求項４記載のバッテリー。
【請求項１３】
前記第１電池収容部に収容される電子セルは前記第２側片に前記正極端子が臨み、かつ、前記第２電池収容部に収容される電子セルは前記第３側片に前記正極端子が臨むように収容され、前記第２、第３側片には前記正極端子が挿入される開口が形成され、前記正極端子接続用薄板は、前記第３側片または縁片上を延在しその一端が前記第２電池収容部に収容される電池セルの前記開口から露出する正極端子に接合されると共にその他端が前記第１電池収容部に収容される電池セルの負極端子に接合される薄板と、前記第２側片または前記縁片上を延在しその一端が前記第１電池収容部に収容される電池セルの負極端子に接合されると共にその他端が前記コネクタに接合される薄板により構成されていることを特徴とする請求項４記載のバッテリー。
【請求項１４】
前記第２、第３側片は前記電池セルの外装缶の側面に沿って延在し、前記第１電池収容部に収容される電子セルは前記第２側片に前記正極端子が臨み、かつ、前記第２電池収容部に収容される電子セルは前記第３側片に前記正極端子が臨むように収容され、前記第２、第３側片には前記正極端子が挿入される開口が形成され、前記正極端子接続用薄板には前記開口から臨む正極端子に接触可能な２つの接合部がそれら第２、第３側片の延在方向に間隔をおいて２つ設けられ、それら２つの接合部のうちの一方の接合部が前記正極端子に接合されていることを特徴とする請求項４記載のバッテリー。
【請求項１５】
前記正極端子接続用薄板は、前記保持体上を通り前記第２電池収容部に収容される電池セルの正極端子と前記第１電池収容部に収容される電池セルの負極端子と前記第１電池収容部に収容される正極端子と前記コネクタとを接続するように配置され、前記負極端子接続用薄板は、前記保持体上を通り前記第２電池収容部に収容される電池セルの負極端子と前記コネクタとを接続するように配置され、前記正極端子接続用薄板と前記負極端子接続用薄板が電池セルの負極端子に接続される部分は、それぞれ前記第２、第３側片が存在しない前記電池セルの外装缶の側面部分であり、前記正極端子接続用薄板と前記負極端子接続用薄板が電池セルの負極端子に接続される部分は、２枚の薄板の間にサーミスタが挟まれて構成されていることを特徴とする請求項４記載のバッテリー。
【請求項１６】
前記正極端子接続用薄板は、前記保持体上を通り前記第２電池収容部に収容される電池セルの正極端子と前記第１電池収容部に収容される電池セルの負極端子と前記第１電池収容部に収容される正極端子と前記コネクタとを接続するように配置され、前記負極端子接続用薄板は、前記保持体上を通り前記第２電池収容部に収容される電池セルの負極端子と前記コネクタとを接続するように配置され、前記正極端子接続用薄板のうち前記第２電池収容部に収容される電池セルの正極端子と前記第１電池収容部に収容される電池セルの負極端子を接続する部分は、前記第４側片に接続する縁片上を延在する薄板を含んで構成され、前記負極端子接続用薄板は、前記第４側片に接続する縁片上を延在する薄板を含んで構成されていることを特徴とする請求項４記載のバッテリー。
【請求項１７】
前記各縁片は、前記第１、第２電池収容部に収容される電子セルの外装缶の上面または下面の一方の面のみの上を延在するように設けられ、前記電池セルは、前記縁片が設けられていない前記側片の箇所から前記第１、第２電池収容部に挿入されることを特徴とする請求項４記載のバッテリー。
【請求項１８】
前記各縁片は、前記第１、第２電池収容部に収容される電子セルの外装缶の上面または下面の一方の面のみの上を延在するように設けられ、さらに、前記第４側片には、前記第１、第２電池収容部に収容される電子セルの上面または下面の他方の面上を延在する縁片が設けられていることを特徴とする請求項４記載のバッテリー。
【請求項１９】
前記第２側片または第３側片の一方は、前記第１側片に対して切り離されて形成されていることを特徴とする請求項４記載のバッテリー。
【請求項２０】
前記第２側片および第３側片は、前記第４側片にそれぞれ接続されていることを特徴とする請求項４記載のバッテリー。
【請求項２１】
前記各縁片は、前記第１、第２電池収容部に収容される電子セルの外装缶の上面または下面の一方の面のみの上を延在するように設けられ、前記保持体には、前記第１、第２電池収容部に収容される電子セルの外装缶の前記縁片に当接する上面または下面の一方の面の縁を除いた残りの中央部分を露出させる切り欠きが設けられていることを特徴とする請求項４記載のバッテリー。
【請求項２２】
扁平な矩形板状の電池セルを収容するケースと、
前記ケースから露出するコネクタと、
前記電池セルを前記ケース内で保持する保持体とを備え、
前記保持体は、非導電性で弾性を有する材料からなり電池セルを収容する電池収容部を有し、
前記保持体上を延在し前記電池収容部に収容される電池セルと前記コネクタとを電気的に接続する導電性で弾性を有する導電板が設けられている、
ことを特徴とするバッテリー。
【請求項２３】
前記導電板は、前記電池収容部に収容される電池セルの正極端子と前記コネクタとを接続する正極端子接続用薄板と、前記電池セルの負極端子と前記コネクタとを接続する負極端子接続用薄板とで構成されていることを特徴とする請求項２２記載のバッテリー。
【請求項２４】
前記正極端子接続用薄板は前記正極端子と前記コネクタとに溶接により接合されると共に、前記負極端子接続用薄板は前記負極端子と前記コネクタとに溶接により接合されていることを特徴とする請求項２２記載のバッテリー。
【請求項２５】
前記電池セルは導電性金属材料からなり、厚さ方向の両端に位置する矩形状の上面および下面と、前記上面と下面とを接続する４つの側面とを有する扁平な矩形板状の外装缶を有し、前記保持体は、前記電池収容部に収容される電池セルの外装缶の少なくとも３つの側面に当て付けられる第１乃至第３側片と、前記３つの側片の縁から突出し前記電池セルの外装缶の上面または下面の一方の面の縁寄りの箇所に当て付けられる縁片とを有することを特徴とする請求項２２記載のバッテリー。
【請求項２６】
前記電池セルは導電性金属材料からなり、厚さ方向の両端に位置する矩形状の上面および下面と、前記上面と下面とを接続する４つの側面とを有する扁平な矩形板状の外装缶を有し、前記電池セルの正極端子は、前記４つの側面のうちの１つに前記外装缶と絶縁した状態で形成され、前記正極端子が設けられた箇所の残りの前記外装缶箇所が前記電池セルの負極端子として形成されていることを特徴とする請求項１または２２記載のバッテリー。
【手続補正３】
【補正対象書類名】明細書
【補正対象項目名】０００７
【補正方法】変更
【補正の内容】
【０００７】
次に本発明の実施例について図面を参照して説明する。
図１は実施例のバッテリー２の斜視図、図２（Ａ）はバッテリー２の平面図、（Ｂ）は（Ａ）のＢ矢視図、（Ｃ）は（Ａ）のＣ矢視図、（Ｄ）は（Ａ）のＤ矢視図、図３（Ｅ）は図２（Ｄ）のＥ矢視図、（Ｆ）は（Ｅ）のＦ矢視図である。
図４（Ａ）はバッテリー２を前方から見た正面図、（Ｂ）は（Ａ）のＢ矢視図、（Ｃ）は（Ａ）のＣ矢視図である。
図５はバッテリー２を前方斜め上方から見た斜視図、図６はバッテリー２の上下を反転し斜め上方から見た斜視図である。
図７はバッテリー２の断面図である。
図８は上ケース１２の斜視図、図９は下ケース１４の斜視図である。
図１０はバッテリー２のコネクタ部分の断面図である。
なお、添付図面中、円筒面や曲面、傾斜面を表すために、部材や部分の表面に複数の直線や曲線を描いた図面も存在している。
【手続補正４】
【補正対象書類名】明細書
【補正対象項目名】０００９
【補正方法】変更
【補正の内容】
【０００９】
本実施例では、図７、図８、図９に示すように、ケース１０は上ケース１２と下ケース１４との２つのケースが溶着によって結合されることで構成されている。
本実施例では、上面１０Ｃは上ケース１２の上面１２０２で構成され、下面１０Ｄは下ケース１４の下面１４０２で構成され、前面１０Ａは上ケース１２および下ケース１４の前面１２０４、１４０４で構成され、後面１０Ｂは上ケース１２および下ケース１４の後面１２０６、１４０６で構成され、側面１０Ｅは上ケース１２および下ケース１４の側面１２０８、１４０８で形成されている。
また、係合壁１００２は上ケース１２の側面に形成され、ストッパ壁１００６は下ケース１４の側面に形成されている。
また、本実施例では、図７に示すように、上ケース１２の上面１２０２の内面の周囲の複数箇所と、下ケース１４の下面１４０２の内面の周囲の複数箇所にそれぞれ凸部１５が膨出形成され、これら凸部１５によりケース１０内で電池セル４０を保持するようにしている。
また、本実施例では、図７に示すように、上ケース１２の上面１２０２には、長さ方向の全長にわたり幅方向の中央部分が幅方向の両側寄り部分よりも上方に偏位した偏位部１２１０が形成され、また、下ケース１４の下面１４０２には、長さ方向の全長にわたり幅方向の中央部分が幅方向の両側寄り部分よりも上方に偏位した偏位部１２１１が形成されている。これら偏位部１２１０、１２１１の内面とケース１０の内部に収容された電池セル４０の上面４００２、下面４００４との間には、充電時に電池セル４０が膨張した際にこの膨張を吸収するための隙間１２１２、１２１３が形成されている。
【手続補正５】
【補正対象書類名】明細書
【補正対象項目名】００１４
【補正方法】変更
【補正の内容】
【００１４】
図２０、図２２に示すように、第１側片５１は、第１電池セル４０Ａの外装缶４２の１つの側面４００６の全長にわたるように延在形成されている。
図１７、図２０に示すように、第１側片５１の表面には、プリント基板７０を取着するためのリブ５１０２が膨出形成され、このリブ５１０２を介してプリント基板７０が取着され、プリント基板７０は第１側片５１に沿って延在している。
図２０、図２１に示すように、プリント基板７０にはコネクタ３０が実装されており、プリント基板７０には、図１０に示すコネクタ３０の正極用の接片３４、負極用（グランド用）の接片３４、中点用の接片３４にそれぞれ導通する正極用の導通部７２、負極用の導通部７４、中点用の導通部７６が形成されている。
また、プリント基板７０には、図２１に示すように、制御回路を構成するＬＳＩや電子部品が実装されており、前記制御回路は、コネクタ３０のデータ通信用の接片３４を介して電子機器側の制御部との間でバッテリー２の特性や識別情報などのデータを送受信したり、各導通部７２、７４、７６を介して各電池セル４０の出力電圧や出力電流などを監視する機能を有している。
【手続補正６】
【補正対象書類名】明細書
【補正対象項目名】００１５
【補正方法】変更
【補正の内容】
【００１５】
図１８、図２２に示すように、第２側片５２は、その一端が第１側片５１に連結されており、第１電池セル４０Ａの外装缶４２の側面４００６の全長にわたって延在し、かつ、第２電池セル４０Ｂの第４側片５４寄りの側面４００６まで延在するように形成され、第２側片５２の先端寄り箇所は第４側片５４の端部に連結されている。
第２側片５２には該第２側片５２の延在方向に間隔をおいて導電板６０(図２０)を係合させるための第２係合凹部５２０２と第３係合凹部５２０４が形成されている。
また、第１側片５１寄りの第２係合凹部５２０２には、第１電池セル４０Ａの正極端子４４を突出させるための開口５２０６が形成されている。なお、開口５２０６は、正極端子４４が嵌め込まれる大きさで形成されている。
【手続補正７】
【補正対象書類名】明細書
【補正対象項目名】００１８
【補正方法】変更
【補正の内容】
【００１８】
図１７、図２０に示すように、縁片５６は、４つの側片５１、５２、５３、５４の縁から突出し第１、第２電池セル４０Ａ、４０Ｂの下面４００４の縁寄りの箇所に当て付けられる幅で形成されている。
第４側片５４の縁から突出する縁片５６には、その延在方向の中間部に開口５６０４が形成されている。
さらに、第４側片５４の延在方向の中間部には、図２２に示すように、２つの電池セル４０の上面４００２の互いに隣合う縁にそれぞれ当て付けられる縁片５７が形成されている。
なお、縁片５６は、図２０に示すように、第１電池セル４０Ａの下面４００４においては、その４辺にわたって延在するように矩形枠状に形成されている。したがって、第１電池セル４０Ａの下面４００４は、４つの縁片５６の中央の開口５６０２からその４つの縁部を除いた部分が露出する。また、第２電池セル４０Ｂの下面４００４は、第３側片５３の縁片５６および第４側片５４の縁片５６以外の箇所が露出する。
すなわち、図１７に示すように、第１、第２電池セル４０Ａ、４０Ｂが保持体５０に収容された状態で、第１、第２電池セル４０Ａ、４０Ｂの上面４００２は縁片５７が当て付けられる箇所を除いた全ての部分が開放されており、また、下面４００４は縁片５６が存在するもののそれらの中央部分を露出させる切り欠きが形成されていることになり、充電時に電池セル４０が膨張した際にこの膨張を許容するように構成されている。
また、第１、第２電池セル４０Ａ、４０Ｂは、縁片５６が形成されていない保持体５０の箇所から第１、第２電池収容室５０Ａ、５０Ｂに対して装脱される。
【手続補正８】
【補正対象書類名】明細書
【補正対象項目名】００１９
【補正方法】変更
【補正の内容】
【００１９】
導電板６０は、図２０に示すように、電気的に直列に接続した２つの電池セル４０の正極端子４４とコネクタ３０とを接続する正極端子接続用薄板６０Ａと、電気的に直列に接続した２つの電池セル４０の負極端子４６とコネクタ３０とを接続する負極端子接続用薄板６０Ｂとで構成されている。
正極端子接続用薄板６０Ａおよび負極端子接続用薄板６０Ｂは共に導電材料で形成されている。
正極端子接続用薄板６０Ａは、第３側片５３が位置する側に配置される第１薄板６１および第２薄板６２と、第２側片５２が位置する側に配置される第３薄板６３で構成されている。
より詳細には、正極端子接続用薄板６０Ａは、図２０、図２３、図２４に示すように、第２電池セル４０Ｂの正極端子４４に接続される第１薄板６１と、この第１薄板６１に取着され第１電池セル４０Ａの負極端子４６に接続される第２薄板６２と、第１電池セル４０Ａの正極端子４４に接合されるとともにプリント基板７０の導電部７２に接続される第３薄板６３で構成されている。
第１薄板６１は、第４側片５４に接続する縁片５６上を通り第３側片５３に接続される縁片５６上を延在する延在部６１０２と、延在部６１０２の一端から屈曲され第２電池セル４０Ｂの正極端子４４に接合可能な２つの正極端子接合用屈曲部６１０４と、延在部６１０２の中間部から第２薄板６２上に屈曲される２つの薄板接合用屈曲部６１０６と、延在部６１０２の他端から屈曲されプリント基板７０の中点用の導電部７６に接続される導電部接合用屈曲部６１０８とを有している。
第１薄板６１の２つの正極端子接合用屈曲部６１０４のうちの１つは第２電池セル４０Ｂの正極端子４４に溶接により接合されている。
正極端子接合用屈曲部６１０４と薄板接合用屈曲部６１０６をそれぞれ２つ設けた理由は、組み立て時に一方の屈曲部のみを使用し、電池セル４０を交換した際に、上述の一方の屈曲部を切り離し、残りの他方の屈曲部を使用できるようにしたものである。
第１薄板６１の導電部接合用屈曲部６１０８は、溶接によりプリント基板７０の中点用の導電部７６に接合されている。これにより本実施例では、正極端子接続用薄板６０Ａの一部を利用し、２つの電池セル４０の互いに接続された正極端子４４と負極端子４６の接続部分の電位をプリント基板７０の導電部７６に供給し、プリント基板７０の前記制御回路によって２つの電池セル４０の出力電圧や出力電流を監視するようにしている。
【手続補正９】
【補正対象書類名】明細書
【補正対象項目名】００２０
【補正方法】変更
【補正の内容】
【００２０】
第２薄板６２は、図２０に示すように、その一部が第３側片５３が存在しない箇所で第１電池セル４０Ａの側面４００６上をその全長にわたって延在するとともに、残りの部分が第３側片５３上に延在し第３側片５３の第１係合凹部５３０４上に係合されて配置されている。
第２薄板６２は、図２４に示すように、２枚の金属製の薄板６２０２と、それら２枚の薄板６２０２の間に介在されたサーミスタ６２０４とで構成されている。本実施例ではサーミスタ６２０４はＰＴＣ（Ｐｏｓｉｔｉｖｅ  Ｔｅｍｐｅｒａｔｕｒｅ  Ｃｏｅｆｆｉｃｉｅｎｔ）サーミスタで構成されている。ＰＴＣサーミスタは、温度上昇に伴い抵抗値が増加する正特性を有するものであり、過大電流が流れると抵抗値が急激に増大して流れる電流を抑制することで電池セル４０およびバッテリー２が装着された電子機器を保護する機能を有している。
そして、図２０に示すように、２枚の金属製の薄板６２０２とサーミスタ６２０４とが重ね合わされた厚さの大きな部分は、第３側片５３が存在しない第１電池セル４０Ａの側面４００６上を延在し、第１側片５１寄りに位置する第２薄板６２の端部は、第１電池セル４０Ａの側面４００６に溶接により接合され、すなわち第１電池セル４０Ａの負極端子４６に接合されている。
また、第３側片５３の第１係合凹部５３０４に延在する第２薄板６２部分は、一枚の薄板６２０２のみにより構成され、この第２薄板６２部分は第１係合凹部５３０４に係合されている。
前記２つの薄板接合用屈曲部６１０６は、第１係合凹部５３０４に係合された第２薄板６２部分の上に重ね合わされ、その一方が溶接により第２薄板６２に接合されている。
本実施例では、第２薄板６２が第１係合凹部５３０４に係合された状態で、正極端子接続用薄板６０Ａを構成する第１薄板６１および第２薄板６２の位置決めがなされるように、すなわち、第３側片５３が当て付けられた外装缶４２の側面４００６に対して直交する方向の位置決めがなされるように構成され、これにより第１薄板６１および第２薄板６２の組み付けを簡単に行えるようにしている。
また、本実施例では、第２薄板６２が第１係合凹部５３０４に係合されその上に２つの薄板接合用屈曲部６１０６が重ね合わされた状態で、それら薄板接合用屈曲部６１０６の表面は、第１係合凹部５３０４が形成された箇所以外の第３側片５３の表面と同一面上に位置するか、あるいは、第３側片５３の表面よりも低い箇所に位置するように形成され、これにより保持体５０で保持され導電板６０が組みつけられた電池セル４０のユニットの小型化を図るようにしている。
【手続補正１０】
【補正対象書類名】明細書
【補正対象項目名】００２２
【補正方法】変更
【補正の内容】
【００２２】
図１２、図２０に示すように、負極端子接続用薄板６０Ｂは、第２側片５２が位置する側に配置される第４薄板６４および第５薄板６５で構成されている。
より詳細には、負極端子接続用薄板６０Ｂは、第２電池セル４０Ｂの負極端子４６に接続される第４薄板６４と、この第４薄板６４に取着されプリント基板７０の導電部７４に接続される第５薄板６５で構成されている。
第４薄板６４は、その一部が第２電池セル４０Ｂの側面４００６上でその全長にわたって延在するとともに、残りの部分が第２側片５２上に延在し第２側片５２の第３係合凹部５２０４上に係合されて配置されている。
第４薄板６４は、第２薄板６２と同様に、図２３に示すように、２枚の金属製の薄板６４０２と、それら２枚の薄板６４０２の間に介在されたサーミスタ６４０４とで構成されている。本実施例ではサーミスタ６４０４は前述のサーミスタ６２０４と同様のＰＴＣサーミスタで構成されている。
そして、図１２に示すように、２枚の金属製の薄板６４０２とサーミスタ６４０４とが重ね合わされた厚さの大きな部分は、第２側片５２が存在しない第２電池セル４０Ｂの側面４００６上を延在し、第１側片５１から離れた側に位置する第４薄板６４の端部は、第２電池セル４０Ｂの側面４００６に溶接により接合され、すなわち第２電池セル４０Ｂの負極端子４６に接合されている。
また、第２側片５２の第３係合凹部５２０４に延在する第４薄板６４部分は、一枚の薄板６４０２のみにより構成され、この第４薄板６４部分は第３係合凹部５２０４に係合されている。
【手続補正１１】
【補正対象書類名】明細書
【補正対象項目名】００２３
【補正方法】変更
【補正の内容】
【００２３】
第５薄板６５は、図１２に示すように、第４側片５４に接続する縁片５６上を通り第２側片５２に接続される縁片５６上を延在する延在部６５０２と、延在部６５０２の一端から屈曲され第４薄板５４に接合可能な２つの薄板接合用屈曲部６５０４と、延在部６５０２の他端から屈曲されプリント基板７０の導電部７４に接続される導電部接合用屈曲部６５０６とを有している。
第５薄板６５の２つの薄板接合用屈曲部６５０４のうちの１つは、第３係合凹部５２０４上に位置する第４薄板６４部分に溶接により接合されている。
薄板接合用屈曲部６５０４を２つ設けた理由は、組み立て時に一方の屈曲部のみを使用し、電池セル４０を交換した際に、上述の一方の屈曲部を切り離し、残りの他方の屈曲部を使用できるようにしたものである。
第５薄板６５の導電部接合用屈曲部６５０６は、図１２、図２０に示すように、溶接によりプリント基板７０の導電部７４に接合されている。
本実施例では、第４薄板６４が第３係合凹部５２０４に係合された状態で、負極端子接続用薄板６０Ｂを構成する第４薄板６４および第５薄板６５の位置決めがなされるように、すなわち、第２側片５２が当て付けられた外装缶４２の側面４００６に対して直交する方向の位置決めがなされるように構成され、これにより第４薄板６４および第５薄板６５の組み付けを簡単に行えるようにしている。
また、本実施例では、第４薄板６４が第３係合凹部５２０４に係合されその上に２つの薄板接合用屈曲部６５０４が重ね合わされた状態で、それら薄板接合用屈曲部６５０４の表面は、第３係合凹部５２０４が形成された箇所以外の第２側片５２の表面と同一面上に位置するか、あるいは、第２側片５２の表面よりも低い箇所に位置するように形成され、これにより保持体５０で保持され導電板６０が組みつけられた電池セル４０のユニットの小型化を図るようにしている。
【手続補正１２】
【補正対象書類名】明細書
【補正対象項目名】００２５
【補正方法】変更
【補正の内容】
【００２５】
なお、上述の実施例では、２つの電池セル４０が収容されたバッテリーについて説明したが、本発明は単一の電池セルを収容するバッテリーにも無論適用可能であり、その場合にはバッテリーは次のように構成される。
バッテリーは、扁平な矩形板状の電池セルを収容するケースと、前記ケースから露出するコネクタと、前記電池セルを前記ケース内で保持する保持体と、前記電池セルの正極端子と負極端子とをそれぞれ前記コネクタに接続する導電板とを備えている。
前記電池セルは導電性金属材料からなり、厚さ方向の両端に位置する矩形状の上面および下面と、前記上面と下面とを接続する４つの側面とを有する扁平な矩形板状の外装缶を有している。
前記電池セルの正極端子は、前記４つの側面のうちの１つに前記外装缶と絶縁した状態で形成され、前記正極端子が設けられた箇所の残りの前記外装缶箇所が前記電池セルの負極端子として形成されている。
前記保持体は電池セルを収容する電池収容部を備えている。
前記保持体は、非導電性で弾性を有する材料からなり、前記電池収容部に収容される電池セルの外装缶の少なくとも３つの側面に当て付けられる第１乃至第３側片と、前記３つの側片の縁から突出し前記電池セルの外装缶の上面または下面の一方の面の縁寄りの箇所に当て付けられる縁片とを有している。
前記導電板は、前記保持体上を延在し前記電池収容部に収容される電池セルの正極端子と前記コネクタとを接続する導電性で弾性を有する正極端子接続用薄板と、前記保持体上を延在し前記電池セルの負極端子と前記コネクタとを接続する導電性で弾性を有する負極端子接続用薄板とで構成されている。
前記正極端子接続用薄板は前記正極端子と前記コネクタとに溶接により接合されると共に、前記負極端子接続用薄板は前記負極端子と前記コネクタとに溶接により接合されている。
そして、第１乃至第３係合凹部５３０４、５２０２、５２０４や第１乃至第５薄板６１〜６５などの実施例の構成が適宜採用される。
また、実施例では、２つの電池セルを電気的に直列に接続した場合について説明したが、本発明は、２つの電池セルを電気的に並列に接続した場合にも無論適用される。
【手続補正１３】
【補正対象書類名】図面
【補正対象項目名】図７
【補正方法】変更
【補正の内容】
【図７】
2006179212.tif 000001
【手続補正１４】
【補正対象書類名】図面
【補正対象項目名】図１１
【補正方法】変更
【補正の内容】
【図１１】
2006179212.tif 000002
【手続補正１５】
【補正対象書類名】図面
【補正対象項目名】図２０
【補正方法】変更
【補正の内容】
【図２０】
2006179212.tif 000003